(57)【要約】【課題】病人、老人、及びペット類の排泄物（糞、尿など）あるいは人間の吐瀉物（嘔吐物）等の水分を含有する汚物を、その形や臭いを気にすることなく、摘み上げて除去処理することが可能な、新しいタイプの汚物の処理用組成物及び該組成物を充填した処理用装置を提供すること。【解決手段】少なくとも１種の高分子化合物及び噴射剤を必須成分として含み、汚物に噴射することにより、汚物全体を包み込むように泡が発泡した後、速やかに固化することを特徴とする汚物の処理用組成物並びに該組成物を噴射装置に充填した汚物の処理用装置。【選択図】      なし【特許請求の範囲】
【請求項１】
少なくとも１種の高分子化合物及び噴射剤を必須成分として含み、汚物に噴射することにより、汚物全体を包み込むように発泡した後、速やかに固化することを特徴とする汚物の処理用組成物。
【請求項２】
発泡調節剤、界面活性剤、抗菌剤、消臭剤若しくは脱臭剤のうち少なくとも１種を含む請求項１記載の組成物。
【請求項３】
さらに吸水剤、着色剤、香料、難燃剤のうち少なくとも１種を含む請求項１または２記載の組成物。
【請求項４】
少なくとも１種の高分子化合物及び噴射剤を必須成分として含み、汚物に噴射することにより、汚物全体を包み込むように発泡した後、速やかに固化することを特徴とする汚物の処理用組成物を噴射装置に充填した汚物の処理用装置。
【請求項５】
前記組成物を噴射したときの噴射距離が０．０５〜３ｍであることを特徴とする請求項４記載の処理用装置。
【請求項６】
単位時間あたりの処理用組成物噴射量が１ｇ／ｓｅｃ以上であることを特徴とする請求項４または５記載の処理用装置。
【請求項７】
前記組成物が発泡調節剤、界面活性剤、抗菌剤、消臭剤若しくは脱臭剤のうち少なくとも１種を含む請求項４〜６のいずれか１項記載の処理用装置。
【請求項８】
さらに吸水剤、着色剤、香料、難燃剤のうち少なくとも１種を含む請求項４〜７のいずれか１項記載の処理用装置。
【請求項９】
少なくとも１種の高分子化合物及び噴射剤を必須成分として含み、汚物に噴射することにより、汚物全体を包み込むように発泡した後、速やかに固化することを特徴とする汚物の処理方法。
【請求項１０】
前記組成物が発泡調節剤、界面活性剤、抗菌剤、消臭剤若しくは脱臭剤のうち少なくとも１種を含む請求項９記載の処理方法。
【請求項１１】
さらに吸水剤、着色剤、香料、難燃剤のうち少なくとも１種を含む請求項９または１０記載の処理方法。
【発明の詳細な説明】
【０００１】
【発明の属する技術分野】
本発明は、汚物の処理用組成物、処理用装置及び処理方法に関する。
【０００２】
【従来の技術】
従来、病人、老人、及びペット類の排泄物（糞、尿など）あるいは人間の吐瀉物等の水分を含有する汚物を処理するに際して、吸水性の高い物質に必要に応じて固化剤、消臭剤等を加えて粉状体、粒状体、成形体等の形に加工したものが使用されている。
このような汚物処理剤（材）の例として、特許文献１には、水に不溶性であるが活性のある弱塩基性金属酸化物と、この金属酸化物の金属の塩化物及び／または硫酸塩と、高吸水性樹脂とを含有する汚物処理剤が開示されている。この汚物処理剤は、ペットの排泄物や人の吐瀉物を簡単に除去処理することを目的としている。また同文献には、この汚物処理剤を処理する場合に、圧縮ガス、圧縮液化ガスを利用して粉末をガスとともに吐粉させて汚物のまわりに均一に散粉し、付着させることが教示されている。
液状排泄物に対する汚物処理剤（材）の例として、特許文献２には、水不溶性の高吸水性樹脂粉末５〜３０重量％と木粉５０重量％以上との混合物を水分存在下に混練し粒状に成形して乾燥した、吸液性が大きく、吸蔵性に優れたペットの液状排泄物処理材が開示されている。
また、別の液状排泄物に対する汚物処理剤（材）の例として、特許文献３には、コア層とこれを被覆し得るスキン層とから構成された粒状材であって、コア層は、高吸水能を有し吸水後は高ゲル強度を有する高吸水性樹脂５〜５０重量％（乾燥重量）と、パルプ、紙粉等のフィラ材５０〜９５重量％（乾燥重量）とを混合し、含水率が１０〜４０重量％に調製された混合物からなり、スキン層は、高吸水速度を有し吸水後は粘性を有する高吸水性樹脂５〜５０重量％（乾燥重量）と、パルプ、紙粉等のフィラ材５０〜９５重量％（乾燥重量）とを混合し、含水率が５〜１５重量％に調製された混合物からなり、全体の嵩比重が０．３ｇ／ｃｍ３以上に調製された排泄物処理用粒状材が開示されている。また、同文献には、この粒状材は焼却処理してもほとんど灰分を生じなく、水洗トイレに流して処理することも可能であるという効果を有することが記載されている。
圧縮成形した汚物処理剤（材）の例として、特許文献４には、木質系粉末または有機質繊維と、高吸水性樹脂とを含有する吸水性圧縮成形体が開示されている。さらに、同文献には、この圧縮成形体は持ち運びに便利であり、水と油との混合物から水、油の両方を吸着することが記載されている。
汚物類処理用の凝固剤の例として、特許文献５には、無機鉱物質及び吸水性樹脂及びｐＨ緩衝剤から成ることを特徴とする清掃処理用凝固剤が開示されている。同文献には、この清掃処理用凝固剤を人または動物等から排出される嘔吐物や糞尿、油類、その他の汚物、汚水等に振りかけることによってこれらをゲル化することができることが記載されている。
さらに、簡易便器等において用いられる看護用の排便処理剤の例として、特許文献６には、木粉等の粉末状被覆剤、吸水性ポリマーのような固化剤、グリオキサールのような消臭剤、塩化ベンザルコニウムのような抗菌剤及びポリエチレングリコール、ポリプロピレングリコール、酸化エチレンと酸化プロピレンとのブロック共重合物の１種または２種以上からなる末粉防止剤を含み、焼却処分することが可能である排便処理剤が開示されている。
他方、汚物の処理用具についても様々な提案がなされている（例えば、特許文献７、８、９を参照）。
しかしながら、公知の汚物処理剤（材）は高吸水性を有する物質（例えば、高吸水性樹脂）を使用しており、汚物中に含まれる水分が高吸水性を有する物質中に滲み込むため、消臭効果を高めるために脱臭剤、消臭剤、及び／または香料（芳香剤）等を加える必要があった。例えば、特許文献１に記載されている汚物処理剤は、水に不溶性であるが活性のある弱塩基性金属酸化物と、この金属酸化物の金属の塩化物及び／または硫酸塩とが固結剤として作用し、高吸水性樹脂によって水分を吸収された汚物を固化せしめるが、汚物の消臭を完全に抑えることは困難であると考えられる。このため、脱臭剤若しくは消臭剤を添加したり、着香料として各種香料及び芳香性物質を添加することが行われる（特許文献１、第８欄第１７行〜第２８行及び第９欄第２行〜第３行を参照）。
また、吸水性樹脂のような高吸水性を有する物質を含む汚物処理用組成物は、湿気が厳禁であり、従って保管する環境条件が難しいなどの保管上の問題点や、雨天時に屋外で使用できない等の問題点を有している。
【０００３】
他方、虫類の防除や害虫駆除に関する技術分野においては、殺虫剤を使用することなく、虫類を被覆して捕獲するための組成物及び捕獲方法が提案されている。
特許文献１０には、ジメチルエーテル及びこれに可溶の樹脂を主成分とした虫類の捕獲用組成物並びにこれを虫類に噴射し、該組成物を虫類に付着させ、該組成物の表面に樹脂膜を生成させる一方、該樹脂膜内においてジメチルエーテルを徐々に気化させ、これが充満した状態を所定の時間保持することにより、虫類を麻痺或いは致死させることを特徴とする虫類の捕獲方法が開示されている。
また、特許文献１１には、虫類に噴射することにより該虫類を捕獲・殺虫するための組成物がエアゾール容器等の容器に充填され、該容器から外部に噴出されることにより虫類が被覆される繭状体を形成することを特徴とする虫類捕獲用組成物が開示されている。
【０００４】
【特許文献１】
特許第２８０２５３７号公報
【特許文献２】
特開平５−２１１８２５号公報
【特許文献３】
特公平６−８５６６９号公報
【特許文献４】
特開平５−３１７７０５号公報
【特許文献５】
特開平１０−２４４２４９号公報
【特許文献６】
特開平１１−３６６号公報
【特許文献７】
特開平７−１３２１３１号公報
【特許文献８】
特開平８−２３８２７７号公報
【特許文献９】
特開２００３−１５８９３７号公報
【特許文献１０】
特開平１１−１８７８０１号公報
【特許文献１１】
特開２００３−１４６８１９号公報
【０００５】
吸水性物質を含まない組成物を汚物に噴射することにより、汚物全体を包み込んで除去処理することができるエアゾール類については、これまで全く提案がなされていなかった。
【０００６】
【発明が解決すべき課題】
本発明者らは、従来技術とは全く異なる観点から、汚物の処理方法及び汚物処理用組成物について鋭意研究開発を重ねた。その結果、吸水性物質を用いることなく、汚物に噴射することにより、汚物全体を包み込むことができる消臭効果の大きい汚物処理用組成物を得ることができた。すなわち、意外なことに、少なくとも１種の高分子化合物及び噴射剤を必須成分として含む組成物を、汚物に噴射することにより、汚物全体を包み込み簡便に処理ができるとともに、消臭効果が極めて大きいことを見いだし、この知見に基づいて本発明を完成した。
【０００７】
【課題を解決するための手段】
すなわち、本発明は、少なくとも１種の高分子化合物及び噴射剤を必須成分として含み、汚物に噴射することにより、汚物全体を包み込むように発泡した後、速やかに固化することを特徴とする汚物の処理用組成物を提供する。
また、本発明は、少なくとも１種の高分子化合物及び噴射剤を必須成分として含み、汚物に噴射することにより、汚物全体を包み込むように発泡した後、速やかに固化することを特徴とする汚物の処理用組成物を噴射装置に充填した汚物の処理用装置を提供する。
さらに、本発明は、少なくとも１種の高分子化合物及び噴射剤を必須成分として含み、汚物に噴射することにより、汚物全体を包み込むように発泡した後、速やかに固化することを特徴とする汚物の処理方法を提供する。
本発明によれば、極めて簡便な装置と手段により、汚物の処理が可能になる。
【０００８】
【発明の実施の形態】
本発明において、「汚物」とは人及び人以外の動物（例えば、家畜、家禽、ペット類）の糞、尿等の排泄物、人及び人以外の動物（例えば、家畜、家禽、ペット類）の吐瀉物（嘔吐物）、ヘドロ類、泥漿、油類、汚水等を意味する。
【０００９】
本発明における「高分子化合物」は、特に限定されないが、樹脂で被覆された汚物由来の汚水や悪臭の漏洩や防臭という観点から、非吸水性樹脂を用いることが望ましい。但し、吸水性樹脂の場合でも疎水性物質等の配合によって、上記の目的を達成することが可能である。また、本発明においては、粘着性樹脂または非粘着性樹脂のどちらを用いてもよいが、使用後の廃棄処理が比較的容易な非粘着性樹脂を用いるのが好ましい。非粘着性樹脂としては、例えば、ブチラール樹脂、アクリル樹脂（例えば、ポリメタクリレート（メタクリル樹脂））、ポリスチレン等が挙げられる。ポリメタクリレートの中には、メチルエステル、プロピルエステル、エチルエステル、ブチルエステル等がある。また、ポリメタクリレートとポリエステルとの共重合体やメタクリル酸メチルとメタクリル酸ブチルとの共重合体を用いることもできる。エアゾール等の容器に充填する場合には噴射剤として汎用される液化ガスに溶解する樹脂を用いるのが好適である。さらに、これらの樹脂にポリエチレン等を適宜配合することも可能である。
【００１０】
本発明において、「噴射剤」とは、エアゾール製品等においてその内容物を噴出させる力となっている液化ガスあるいは圧縮ガスのことである。液化ガスはさらに液化石油ガス（例えば、ＬＰＧ、イソペンタン）、エーテル（例えば、ジメチルエーテル）及びフロロカーボン（例えば、フロロカーボン、クロロフロロカーボン、ブロモクロロフロロカーボン）に分類される。また、圧縮ガスとしては、例えば、窒素、炭酸ガスの単体または混合ガス、圧縮空気、亜酸化窒素などが挙げられる。本発明においては、これらの噴射剤を１種または２種以上組み合わせて用いることができる。
本発明において、「必須成分として含む」とは、必須成分が混合あるいは溶解している場合だけでなく、例えば、各必須成分が捕獲装置内に別個に収納されており噴射などの操作の過程でそのような状態となる場合をも意味する。
また、本発明において、「全体を包み込む」とは、あくまでも外観上の状態を表現するものであって、横あるいは上部等からみたときに汚物等が見えない状態であれば、充分であり、かならずしも汚物を完全に被覆する必要はない。
さらに、本発明において、「固化」とは、本発明の汚物の処理用組成物が汚物に噴射されて固体になることを意味するが、その固体は、弾性体であっても、塑性体であってもよい。
【００１１】
本発明の組成物は、上記高分子化合物及び噴射剤以外に、発泡調節剤（発泡助剤）、界面活性剤、抗菌剤、消臭剤、脱臭剤のうち少なくとも１種を含むことができる。発泡調節剤（発泡助剤）としては、例えば、流動パラフィンやイソパラフィンが挙げられる。界面活性剤としては、例えば、ソルビタンモノオレート、ポリオキシエチレンアルキルエーテル、ポリオキシエチレンオレイン酸エステル、ＰＯＥＰＯＰブロックポリマー、ＰＯＥソルビタンモノオレートなどが挙げられる。界面活性剤を添加することにより、組成物の剥離性が付与される。
抗菌剤としては、糞尿中の細菌等の微生物類を殺滅し、または増殖を抑えることができるものであればどのようなものでも使用することができる。例えば、２−フェノキシエタノール、オルトベンジルパラクロロフェノール、塩化ベンザルコニウム、安息香酸及びその塩類、デヒドロ酢酸及びその塩類、ソルビン酸カリウム、プロピオン酸カルシウム、パラオキシ安息香酸エチル、パラオキシ安息香酸プロピル、ラウリルトリメチルアンモニウム、２，４，５−トリクロルフェノキサイド、アルキルトリアミノエチルグリシン、５−ニトロ−２−フリルアクリルアミド、ポリヘキサメチレンビグアニジン塩酸塩、２−ブロモ−２−ニトロプロパン−１，３−ジオール、キトサンなどが挙げられる。
これらの抗菌剤の使用は１種に限らず、例えば、塩化ベンザルコニウムとキトサンなどを必要に応じて２種以上併用することができるが、上記のように消臭剤としてグリオキザールを使用する場合、抗菌剤として塩化ベンザルコニウムを用いることが抗菌力及びその持続性の観点から特に好ましい。このような抗菌剤を用いることで糞尿に起因する微生物学的な汚染を未然に防ぐことができるばかりでなく、微生物類の糞尿の分解により発生する悪臭ガスを防止または抑制することができる。
消臭剤あるいは脱臭剤としては、例えば、吸着脱臭剤（例えば、多孔質イオン交換樹脂、水酸化鉄、硫酸第一鉄）、化学反応による消臭若しくは脱臭剤（例えば、ダイムシュー（大日精化工業（株）製）、デオセプト（ダイセル化学工業（株）製）、アニコ（ミナト産業（株）製）、ピュアライト（日本化学工業（株）製））、植物体（例えば、ツバキ、シソ、マツ、ラベンダー、柑橘類、カイソウ）から抽出あるいは精製された香気成分、グリオキザール等が挙げられる。本発明の組成物はそれ自体汚物を包み込むため消臭効果が極めて大きいので、消臭剤あるいは脱臭剤を必ず使用しなければならないわけではない。しかしながら、本発明の組成物に消臭剤あるいは脱臭剤を添加することにより、除去した汚物を保管する際の臭い防止対策を兼ね備えることができる。
【００１２】
さらに、本発明の組成物は、吸水剤、着色剤、香料、難燃剤のうち少なくとも１種をさらに含むことができる。本発明において使用する吸水剤の種類は、焼却処分することができ、糞尿中の水分と反応し、または水分を吸収することにより、排泄された糞尿の固化を促進するものであれば特に限定されない。例えば、吸水性ポリマー、カルボキシメチルセルロース、カルボキシエチルセルロース、メチルセルロース、ヒドロキシエチルセルロース、ヒドロキシプロピルセルロース、酢酸セルロース、ニトロセルロース、ポリビニルアルコール、ポリビニルピロリドン、ポリビニルメチルエーテル、ポリエチレンオキサイド、ポリアクリル酸、マレイン酸スチレン共重合体、アルギン酸ソーダ、アルギン酸プロピレン、ゼラチン、カゼイン、キサンタンガム、カラギーナン、アラビアガム、グアーガム、コンニャクマンナン、寒天、ペクチン、プルラン、ガラクトオリゴ糖、コンドロイチン、ヘミセルロース、ジェランガム、タルク、クレー、二酸化ケイ素等が挙げられる。着色剤を加えることにより、汚物の存在を明確にすることができる。本発明において使用する着色剤の種類は特に限定されないが、例えば、カーボンブラック、ベンガラ、群青、各種色素、顔料、等が挙げられる。本発明において使用する香料の種類は特に限定されるものではない。難燃剤としては、例えば、トリス（２，３−ジブロモプロピル）イソシアヌレート、オクチルジフェニルホスフェート、塩化パラフィン、臭化ビニル、トリブトキシエチルホスフェート等が挙げられ、これらの中から選択される１種または２種以上の組み合わせを用いることができる。難燃剤を添加することにより、火気のある場所付近で本発明の組成物を使用した場合に、引火しにくく、万一引火した場合でも噴射物は速やかに消炎する。
【００１３】
本発明の組成物に用いる高分子化合物、噴射剤、発泡調節剤（発泡助剤）、界面活性剤、抗菌剤、消臭剤、脱臭剤、吸水剤、着色剤、香料、難燃剤等の配合割合は、使用する薬剤の組み合わせと汚物処理の目的に応じて適宜設定すればよく、使用割合は特に限定されない。
【００１４】
本発明の汚物処理装置としては、例えば、エアゾール殺虫剤に使用される種々のエアゾール装置、消化器タイプの噴射機、等が挙げられるが特に限定されない。対象となる汚物の種類や大きさに応じて適宜選択することができる。また、噴射物は直線状または放射状に噴射するものや連続的または間欠的に噴射するものなど適宜組み合わせて選択できる。
【００１５】
本発明の汚物の処理用組成物は、少なくとも１種の高分子化合物及び噴射剤を必須成分として含むので、エアゾールとして噴射した内容物が発泡沫として汚物全体を瞬時に包み込み、且つ固化させることができ、その結果容易に汚物を除去することが可能である。
【００１６】
【実施例】
以下に本発明を実施例によりさらに詳しく説明するが、本発明はこれらの実施例には限定されない。
【実施例１】
下記の処方１からなる組成物を調製し、エアゾール容器に加圧充填して汚物処理用エアゾールを作製した。
【表１】
2005013948.tif 000002
この汚物処理用エアゾールを用いて、排泄された直後の犬の糞に向けて噴射処理を行った。噴射した内容物が発泡沫として糞全体を瞬時に包み込み、約６０秒後には固化した。犬の糞は発泡した樹脂に包み込まれているため、外観や臭いを気にすることなく、且つ糞と樹脂表面との間の発泡層によって、汚物から距離を保ったまま摘み上げて除去することができた。
【００１７】
【実施例２】
下記の処方２からなる組成物を調製し、エアゾール容器に加圧充填して汚物処理用エアゾールを作製した。
【表２】
2005013948.tif 000003
この汚物処理用エアゾールを用いて、排泄された嘔吐物に向けて噴射処理を行った。噴射した内容物が発泡沫として嘔吐物全体を瞬時に包み込み、約６０秒後には固化した。嘔吐物は発泡した樹脂に包み込まれているため、外観や臭いを気にすることなく、且つ嘔吐物と樹脂表面との間の発泡層によって、嘔吐物から距離を保ったまま摘み上げて除去することができた。
【００１８】
【発明の効果】
本発明の汚物の処理用組成物は、従来の汚物処理用組成物とは異なり、樹脂が発泡して汚物を包み込み且つ極めて短時間で固化するため、エアゾール剤として使用した場合に次のような利点を有する。
１．噴射後即座に発泡して、汚物との間に発泡層を形成するので、汚物から距離を保ったまま摘み上げることができる。
２．目的とする汚物に対して発泡による被覆状態を確認しながら噴射することができる。
３．風、雨等の環境条件に左右されにくい。すなわち、屋外で使用する場合でも、風による組成物の飛散がなく、また雨天の場合も使用できる。
４．湿気に対する厳しい管理を必要とせず、保管上扱いやすい。
５．汚物の水分が被覆層（発泡層）に滲み込まないため、消臭効果が大きく、長時間そのままの状態で放置しても悪臭が放出しにくい。